(57)【特許請求の範囲】
【請求項１】
一部が切り欠かれて形成された組み立て部を有するディスク部材と、
前記ディスク部材のいずれか一側に配置される少なくとも一つのプレート部材と、
前記プレート部材に形成されて前記組み立て部を固定させる少なくとも一つの固定部材と、
を含み、
前記少なくとも一つの固定部材はそれぞれ、前記組み立て部に挿嵌される突出部と、前記突出部を切り取って形成される水収容部とを含み、
前記突出部は、前記突出部のみによって、前記突出部の内部に前記水収容部を形成することを特徴とする、空気清浄加湿器用ディスクアセンブリー。
【請求項２】
前記水収容部は、水を貯留する貯水空間と、水が前記貯水空間に流入し、以降、一定の高さで水が排出されるようにする出入口と、を含むことを特徴とする、請求項１に記載の空気清浄加湿器用ディスクアセンブリー。
【請求項３】
前記出入口は、前記組み立て部の長さに対応する長さを有することを特徴とする、請求項２に記載の空気清浄加湿器用ディスクアセンブリー。
【請求項４】
前記水収容部は、前記ディスク部材の厚さに対応する大きさに形成されることを特徴とする、請求項１に記載の空気清浄加湿器用ディスクアセンブリー。
【請求項５】
前記組み立て部は、前記ディスク部材の周縁に凹んで形成される凹溝部を含み、前記固定部材は、前記凹溝部に結合される第１固定部材を含むことを特徴とする、請求項１に記載の空気清浄加湿器用ディスクアセンブリー。
【請求項６】
前記組み立て部は、前記ディスク部材の表面上に形成される穴部を含み、前記固定部材は、前記穴部に結合される第２固定部材を含み、前記第２固定部材が、水収容部を備えることを特徴とする、請求項１に記載の空気清浄加湿器用ディスクアセンブリー。
【請求項７】
前記少なくとも一つのプレート部材は、前記ディスク部材の両側に配置される第１及び第２プレート部材を含み、前記少なくとも一つの固定部材は、第１プレート部材と第２プレート部材のうちのいずれか一方に一体として形成されて、前記第１プレート部材と第２プレート部材のうちのいずれか他方にねじ結合することを特徴とする、請求項１に記載の空気清浄加湿器用ディスクアセンブリー。
【請求項８】
前記第１プレート部材は、該第１プレート部材のリング状の外観を形成するリング部と、前記リンク部の中央に形成される開口部と、前記リング部の周りに沿って形成されるギア部と、を含むことを特徴とする、請求項７に記載の空気清浄加湿器。
【請求項９】
前記ディスク部材は、複数枚のディスクを積層して形成されることを特徴とする、請求項１に記載の空気清浄加湿器。
【請求項１０】
本体と、
前記本体の内部に設けられる水槽と、
前記本体の内部で気流を発生させる送風ファンと、
請求項１乃至９のいずれか１項に記載の空気清浄加湿器用ディスクアセンブリーと、
を含む空気清浄加湿器。
【請求項１１】
前記ディスクアセンブリーを駆動する回転力を伝達する駆動部をさらに含むことを特徴とする、請求項１０に記載の空気清浄加湿器。
【請求項１２】
前記第１プレート部材及び第２プレート部材のうちのいずれか一方に一体としてギア部が形成されることを特徴とする、請求項１１に記載の空気清浄加湿器。
【請求項１３】
前記ディスクアセンブリーは、回転中心を前記送風ファンの回転中心と同一にするとともに、厚さが前記送風ファンの厚さと重なるようにして前記本体内に配置されることを特徴とする、請求項１０に記載の空気清浄加湿器。
【発明の詳細な説明】
【技術分野】
【０００１】
本発明は、空気清浄加湿器及びそのディスクアセンブリーに係り、特に、ディスクアセンブリーを備えて、室内空気の浄化機能及び加湿機能を行うことができる空気清浄加湿器及びそのディスクアセンブリーに関するものである。
【背景技術】
【０００２】
一般に、室内湿度を適正レベルに維持し、各種の呼吸器疾患を予防する目的で、加湿器が使用されている。
【０００３】
加湿器の加湿方式は様々であり、特に、最近では、空気浄化フィルターによって浄化された空気が、水に濡れたディスクアセンブリーを通過して排出口から外に排出されることで自然加湿を行う、ディスクアセンブリー付き気化式加湿器が提案されている。
【０００４】
このような構成では、ディスクアセンブリーが回転するとき、加湿器の一定位置を通過したディスクアセンブリーでは気化がほとんど行われたため、ディスクアセンブリーには水が残っておらず、加湿作用が起こらなくなる。すなわち、加湿器の一定高さを通過したディスクアセンブリーの部分は、加湿に役立たず、非効率的な抵抗のみを生じさせるという問題があった。
【発明の概要】
【発明が解決しようとする課題】
【０００５】
本発明の一側面は、ディスクを固定させるディスクアセンブリーの固定部材を介して加湿量を増大させることができる空気清浄加湿器及びそのディスクアセンブリーに関する。
【課題を解決するための手段】
【０００６】
本発明の一側面に係る空気清浄加湿器は、本体と、本体の内部に設けられる水槽と、本体の内部で気流を発生させる送風ファンと、水槽に一部分が浸かって回転するディスクアセンブリーと、を含み、ディスクアセンブリーは、一部が切り欠かれて形成された組み立て部を有するディスク部材と、ディスク部材のいずれか一側に配置される少なくとも一つのプレート部材と、プレート部材に形成され、組み立て部を固定させる少なくとも一つの固定部材と、を含み、固定部材は、組み立て部に挿嵌される突出部と、突出部を切り取って形成される水収容部と、を含むことを特徴とする。
【０００７】
また、水収容部は、水槽に含まれた水が貯留される貯水空間と、水槽中の水が貯水空間に流入した後、一定高さで排出されるようにする出入口と、を含むことを特徴とする。
【０００８】
また、組み立て部は、ディスク部材の周縁に凹んで形成される凹溝部を含み、固定部材は、凹溝部に結合される第１固定部材を含むことを特徴とする。
【０００９】
また、組み立て部は、ディスク部材の表面上に形成される穴部を含み、固定部材は、穴部に結合される第２固定部材を含むことを特徴とする。
【００１０】
また、プレート部材は、ディスク部材の両側に配置される第１及び第２プレート部材を含み、固定部材は、第１プレート部材及び第２プレート部材のうちのいずれか一方に一体として形成されて、第１プレート部材及び第２プレート部材のいずれか他方にねじ結合することを特徴とする。
【００１１】
また、ディスク部材は、複数のディスクが積層されて形成されることを特徴とする。
【００１２】
また、出入口は、組み立て部の長さに対応する長さを有することを特徴とする。
【００１３】
また、上記空気清浄加湿器は、ディスクアセンブリーを駆動する回転力を伝達する駆動ユニットをさらに含むことを特徴とする。
【００１４】
また、第１プレート部材及び第２プレート部材のうちのいずれか一方にはギア部が一体として形成され、ギア部は、駆動ユニットに連結されて回転することを特徴とする。
【００１５】
また、ディスクアセンブリーは、回転中心が送風ファンの回転中心と同一となるとともに、厚さが送風ファンの厚さと重なるようにして本体内に配置されることを特徴とする。
【００１６】
本発明の他の側面に係る空気清浄加湿器は、本体と、本体の内部に設けられる水槽と、本体の内部で気流を発生させる送風ファンと、水槽に一部分が浸かって回転し、送風ファンの少なくとも一部を取り囲むディスクアセンブリーと、を含み、ディスクアセンブリーは、複数枚のディスクが積層されてなるリング状のディスク部材と、ディスク部材の両側にそれぞれ配置される第１プレート部材及び第２プレート部材と、第１プレート部材と第２プレート部材との間でディスク部材を固定させる固定部材と、を含み、固定部材は、ディスクアセンブリーの回転によって水槽中の水を一定高さに汲み上げた後、ディスク部材に排出させる水収容部を含むことを特徴とする。
【００１７】
また、水収容部は、ディスク部材の周縁に凹んで形成される凹溝部に対応する第１水収容部と、ディスク部材の表面上に形成される穴部に対応する第２水収容部のうち少なくとも一つを含むことを特徴とする。
【００１８】
また、水収容部は、ディスク部材の厚さに対応する大きさに形成されることを特徴とする。
【００１９】
本発明の他の側面に係る空気清浄加湿器用ディスクアセンブリーは、一部が切り欠かれて形成された組み立て部を有するディスク部材と、ディスク部材の両側にそれぞれ配置される第１及び第２プレート部材と、第１及び第２プレート部材の間において組み立て部に挿嵌されてディスク部材を固定する少なくとも一つの固定部材と、固定部材の内部に形成される水収容部と、を含むことを特徴とする。
【００２０】
また、組み立て部は、ディスク部材の周縁に凹んで形成される凹溝部と、ディスク部材の表面上に形成される穴部のうち少なくともいずれか一つを含み、固定部材は、凹溝部に対応する第１固定部材と、穴部に対応する第２固定部材のうち少なくとも一つを含むことを特徴とする。
【００２１】
また、水収容部は、第１固定部材に形成される第１水収容部と、第２固定部材に形成される第２水収容部と、を含むことを特徴とする。
【００２２】
本発明の他の側面に係る空気清浄加湿器用ディスクアセンブリーは、複数枚のディスクが積層してなるリング状のディスク部材と、ディスク部材の両側にそれぞれ配置される第１及び第２プレート部材と、第１及び第２プレート部材のうちのいずれか一方に一体として形成されて、ディスク部材を固定する少なくとも一つの固定部材と、固定部材の内部に形成される貯水空間と、貯水空間に水が出入するようにする出入口と、を含むことを特徴とする。
【発明の効果】
【００２３】
本発明の実施例による空気清浄加湿器及びそのディスクアセンブリーは、ディスク部材の組み立て部に挿嵌されて、ディスクアセンブリーの組み立て形状を保持させる固定部材に、水を収容する水収容部を設けて、ディスク部材に水を排出することによって、空気の加湿作用をより効率的にさせることができる。
【図面の簡単な説明】
【００２４】
【図１】本発明の一実施例による空気清浄加湿器の外観斜視図である。
【図２】図１に示す空気清浄加湿器の分解斜視図である。
【図３】本実施例のディスクアセンブリーが組み立てられた状態を示す斜視図である。
【図４】図３に示すディスクアセンブリーの正面図である。
【図５】図３に示すディスクアセンブリーの側断面図である。
【図６】図３に示すディスクアセンブリーの分解斜視図である。
【図７】図６に示す第１プレート部材の背面の一部を拡大して示す図である。
【図８】出入口の形態によって、水収容部に貯留された水が排出される位置を示す図である。
【図９】出入口の形態によって、水収容部に貯留された水が排出される位置を示す図である。
【図１０】図６に示す第１プレート部材の背面の他部を拡大して示す図である。
【発明を実施するための形態】
【００２５】
以下、本発明の好適な実施例を、添付の図面を参照しつつ詳細に説明する。
【００２６】
図１は、本発明の一実施例による空気清浄加湿器の外観斜視図であり、図２は、図１の空気清浄加湿器の分解斜視図である。
【００２７】
図１及び図２に示すように、空気清浄加湿器１は、外観を形成する本体１０と、本体１０の内部に配置され、水が貯留される水槽２０と、水槽２０に一部が浸かって回転するディスクアセンブリー３０と、ディスクアセンブリー３０に空気を送風する送風装置４０と、を含む。
【００２８】
本体１０は、空気清浄加湿器１の骨組みをなす本体ボディー１１と、空気清浄加湿器１の前面外観を形成する前面カバー１２と、空気清浄加湿器１の背面外観を形成する背面カバー１３と、本体１０の上側において空気排出口１４ｃを形成する排出グリル１４と、を含む。
【００２９】
本体ボディー１１は、空気清浄加湿器１の全体を支える骨組みの役割を担う。本体ボディー１１には、水槽２０、ディスクアセンブリー３０及び送風装置４０をはじめとする各種部品が設置される。
【００３０】
水槽２０は、水が貯留される空間であり、ディスクアセンブリー３０の下側の一部は、水槽２０の貯水部２１に配置されて水に浸かることとなる。すなわち、ディスクアセンブリー３０は、水槽２０の貯水部２１に貯留された水に濡れるようになる。また、水槽２０には、後述する水タンクから供給される水を受けるための給水部２２が設けられている。
【００３１】
ディスクアセンブリー３０は、全体としてリング（ring）状であり、詳細な事項は後述する。
【００３２】
送風装置４０は、駆動力を提供する送風モーター４１と、送風モーター４１から伝達される駆動力によって空気の流れを生成する送風ファン４２と、を含む。送風ファン４２は、空気吸入口１３ａを通じて空気を吸入した後、空気排出口１４ｃから空気が排出されうるように、空気清浄加湿器１内で気流を発生させる。
【００３３】
本体ボディー１１の上側には、ヒーター１５を設置することができる。ヒーター１５は、必要時に、外部に排出される加湿空気を加熱して暖かい加湿空気を生成する役割を果たす。
【００３４】
また、本体ボディー１１の上部の両側面には殺菌装置１６を設置することができる。これら殺菌装置１６は、加湿空気から有害細菌などを撲滅し、空気清浄加湿器１の外部に清浄な加湿空気を排出させる役割を果たす。
【００３５】
前面カバー１２は、概略長方形を有し、本体ボディー１１の前面に結合される。前面カバー１２のカバー表面は、各種の絵や図形などで多様に飾ることができる。そして、前面カバー１２の上側には、空気清浄加湿器１を操作するための操作部１２ａが設けられる。
【００３６】
操作部１２ａは、各種ボタンが備えて、ユーザが空気清浄加湿器１を操作できるようにする。操作部１２ａは、ボタン（button）方式に限定されず、タッチ（touch）方式にすることもできる。
【００３７】
背面カバー１３は、本体ボディー１１の背面に結合され、水タンク５０が収容される空間である水タンク収容部１３ｂを含む。背面カバー１３には、複数の空気吸入口１３ａが形成され、これらの空気吸入口１３ａから室内の乾燥空気を吸い込む。
【００３８】
水タンク収容部１３ｂは、背面カバー１３の背面部に、上部が開口した形態で突出して形成され、その内部には内側カバー１３ｃが設置され、この内側カバー１３ｃ上に水タンク５０が収容される。
【００３９】
水タンク５０は、加湿に必要な水を貯蔵しておき、水槽２０の給水部２２を経て水槽２０の貯水部２１に適正量を供給する役割を担い、空気清浄加湿器１にカセット方式で装着される。
【００４０】
水タンク５０が空気清浄加湿器１に装着されると、その上部は水タンクカバー５１で覆われる。そして、水タンク収容部１３ｂの背面内側にはフィルター６０が装着される。フィルター６０は、外部から流入する空気から不純物をろ過する役割を果たす。
【００４１】
排出グリル１４は、本体１０の上側に結合され、空気排出口１４ｃが形成される。排出グリル１４は、本体１０の外側に装着される外側排出グリル１４ａと、外側排出グリル１４の内側に装着される内側排出グリル１４ｂと、を含む。
【００４２】
次に、図３乃至図６を参照して、本実施例によるディスクアセンブリーについて説明する。図３は、本実施例によるディスクアセンブリーが組み立てられた状態を示す斜視図であり、図４は、図３に示すディスクアセンブリーを示す正面図であり、図５は、図３に示すディスクアセンブリーの側断面図であり、図６は、図３に示すディスクアセンブリーの分解斜視図である。
【００４３】
図３乃至図６に示すように、本実施例による空気清浄加湿器１は、ディスクアセンブリー３０が送風ファン４２を取り囲むように配置され、ディスクアセンブリー３０の回転中心Ａが、送風ファン４２の回転中心Ｂと略同一に配置される。そして、ディスクアセンブリー３０は、送風ファン４２と重なるようにして本体ボディー１１内に配置される。
【００４４】
ディスクアセンブリー３０は、ディスクを積層して組み立てられるディスク部材３１と、ディスク部材３１の一側に配置される第１プレート部材３２と、ディスク部材３１の他側に配置される第２プレート部材３３と、を含む。
【００４５】
本実施例によるディスク部材３１は、加湿エレメント（element）として機能し、複数枚のリング状のディスクを積層して形成することができる。ディスク部材３１は、全体的にリング状とされ、第１プレート部材３２及び第２プレート部材３３と組み立てられるように一部が切り欠かれて形成される組み立て部１００が設けられる。
【００４６】
組み立て部１００は、ディスク部材３１の周縁に形成される凹溝部１１０と、ディスク部材３１の表面上の一地点に形成される穴部１２０のうち、少なくとも一つを含むことができる。
【００４７】
凹溝部１１０は、ディスク部材３１の周縁の一部が除去されて形成される。そして、穴部１２０は、ディスク部材３１の周縁以外の表面の一部が除去されて形成される。
【００４８】
このようにリング状のディスク部材３１に凹溝部１１０または穴部１２０のような組み立て部１００が形成されると、ディスク部材３１を多数枚積層させる場合に積層及び整列が容易であり、第１プレート部材３２がディスク部材３１にはめ込まれる場合にも、精巧な操作無しに簡易に組み立てることができる。
【００４９】
凹溝部１１０と穴部１２０にはそれぞれ固定部材２００が結合されるが、このような固定部材２００については後述する。
【００５０】
一方、図面では、ディスク部材３１を、リング状のディスクを複数枚積層させたものとしたが、ディスク部材３１は、加湿エレメントとして機能すれば充分であり、よって、水を含みうる一体のディスクにすることも可能であるということは明らかである。
【００５１】
また、図面では、ディスク部材３１に５個の凹溝部１１０が形成され、１個の穴部１２０が形成されているが、ディスク部材３１の形態によって、凹溝部１１０のみ設けられることもでき、穴部１２０のみ設けられることもでき、凹溝部１１０及び穴部１２０のそれぞれが、単数または多数設けられることもできる。
【００５２】
第１プレート部材３２は、本体ボディー１１において前面カバー１２に隣接するディスク部材３１の一側に配置される。このような第１プレート部材３２は、リング状の外観を形成するリング部３２ａと、リング部３２ａの中央に形成される開口部３２ｂと、リング部３２ａの周りに沿って形成されるギア部３２ｃと、を含むことができる。
【００５３】
開口部３２ｂは、送風ファン４２の外径よりも大きい径を有し、リング部３２ａの中央に形成される。開口部３２ｂには送風ファン４２が挿入されて本体ボディー１１に結合されることができる。
【００５４】
そして、ギア部３２ｃは、後述する駆動ユニット７０に結合され、駆動ユニット７０からの回転力によってディスクアセンブリー３０に回転力を発生させる。
【００５５】
そして、第１プレート部材３２には、ディスク部材３１の組み立て部１００に貫通して結合する固定部材２００が形成される、固定部材２００は、ディスク部材３１の凹溝部１１０に挿嵌される第１固定部材２１０と、ディスク部材３１の穴部１２０に挿嵌される第２固定部材２２０のうち少なくとも一つを含むことができる。
【００５６】
ここで、固定部材２００は、第１プレート部材３２と一体として形成されることもでき、別に製作して第１プレート部材３２に結合させることもできる。
【００５７】
第２プレート部材３３は、本体ボディー１１において背面カバー１３に隣接するディスク部材３１の他側に配置される。このような第２プレート部材３３は、ディスク部材３１の組み立て部１００、固定部材２００に対応する位置に形成されるねじ孔３３ａを含む。ねじ孔３３ａは、ねじ３４が固定部材２００に結合される過程で中間媒介体の役割を果たす。
【００５８】
図７は、図６に示す第１プレート部材の背面の一部を拡大して示す図である。
【００５９】
図６及び図７に示すように、第１固定部材２１０は、ディスク部材３１の凹溝部１１０に対応して結合するように、第１プレート部材３２のリング部３２ａの周縁で突出して形成される。第１固定部材２１０は、ディスク部材３１の凹溝部１１０に挿嵌されて、ディスクアセンブリー３０の組み立て形状を保持させる役割を担う。
【００６０】
このような第１固定部材２１０は、ディスク部材３１の積層方向に突出して形成される第１突出部２１１と、第１突出部２１１にねじ３４が結合されうるように形成される第１ねじ結合部２１２と、第１突出部２１１の一部を切り取って形成される第１水収容部２１３と、を含む。
【００６１】
第１突出部２１１は、所定の長さで突出する棒状であり、ディスク部材３１の凹溝部１１０に挿嵌する。第１突出部２１１の長さは、概略、ディスク部材３１が形成される厚さに一致させる。
【００６２】
第１水収容部２１３は、第１突出部２１１内に空間として切り取られた構造とする。このために、第１水収容部２１３は、第１突出部２１１の内部に貯水空間２１３ａが形成され、貯水空間２１３ａへ水槽２０中の水が流入すると一定の高さで排出されるようにする出入口２１３ｂを含む。
【００６３】
出入口２１３ｂは、凹溝部１１０の長さに対応するように第１突出部２１１の一部を切り取って形成し、その形態は様々にすることができる。すなわち、本発明の実施例による第１水収容部２１３の出入口２１３ｂは、図６及び図７に示すように、棒状の第１突出部２１１を直方形に切り取ったものに限定されない。
【００６４】
ここで、出入口２１３ｂの形態は、ディスクアセンブリーが回転する過程において、空気清浄加湿器１のどの高さで、貯水空間２１３ａに貯留された水が、出入口を通じてディスク部材３１に排出されるようにするかに依る。
【００６５】
すなわち、出入口２１３ｂが図８に示すように形成されると、空気清浄加湿器１の最上部から、貯水空間２１３ａに貯留された水が、ディスク部材３１に排出される。また、出入口２１３ｂが図９に示すように形成されると、空気清浄加湿器の最上部よりは低い位置から、貯水空間２１３aに貯留された水が、ディスク部材３１に排出される。
【００６６】
したがって、ディスク部材３１中の水が殆どなくなる位置または高さに応じて出入口２１３ｂを様々な形態にし、ディスク部材３１に水を排出させることができる。
【００６７】
したがって、ディスクアセンブリー３０が回転する過程で第１水収容部２１３が水槽２０中の水に浸かる時に、出入口２１３ｂを通じて第１水収容部２１３に水が流入しうるようにするとともに、第１水収容部２１３が一定高さ以上に位置すると、第１水収容部２１３に流入した水が、出入口２１３ｂからディスク部材３１に排出されて、乾燥されたディスク部材３１の表面を再び濡らすことによって、加湿量を増大させることができる。
【００６８】
一方、上記のように、第１固定部材２１０は、ディスク部材３１に形成された５個の凹溝部１１０に結合するために、第１プレート部材３２のリング部３２ａの周縁に５個が突出形成されているが、その個数はそれに限定されず、様々にすることができる。
【００６９】
また、図６及び図１０に示すように、第２固定部材２２０は、ディスク部材３１の穴部１２０に対応して結合するように、第２プレート部材３３のリング部３３ａの表面上で突出して形成される。第２固定部材２２０は、ディスク部材３１の積層方向に突出して形成され、穴部１２０に挿嵌されてディスク部材３１を固定させる。
【００７０】
このような第２固定部材２２０は、ディスク部材３１の積層方向に突出して形成される第２突出部２２１と、第２突出部２２１の内部にねじ３４が結合されうるように形成される第２ねじ結合部２２２と、水槽２０中の水の一部を、第２突出部２２１の内部に貯留するための第２水収容部２２３と、を含む。
【００７１】
第２突出部２２１は、所定の長さで突出する棒状であり、ディスク部材３１の穴部１２０に挿入される。第２突出部２２１の長さは、概略、ディスク部材３１が積層される厚さに一致させる。
【００７２】
第２水収容部２２３も第１水収容部２１３と同様に、第２突出部２２１内に空間として切り取られた構造とする。また、第２水収容部２２３は、第２突出部２２１の内部に貯水空間２２３ａが形成され、貯水空間２２３ａに水槽中の水が流入して一定高さになると排出されるようにする出入口２２３ｂを含む。
【００７３】
すなわち、ディスクアセンブリー３０が回転する過程で第２水収容部２２３が水槽２０中の水に浸かる時に、出入口２２３ｂを通じて第２水収容部２２３に水が流入するようにし、第２水収容部２２３が一定高さに位置すると、第２水収容部２２３に流入した水が、出入口２２３ｂからディスク部材３１に排出されるように構成する。
【００７４】
ただし、図面では、第１及び第２固定部材２１０，２２０の両方に水槽中の水を貯留する第１及び第２水収容部２１３，２２３が設けられるとしたが、第１固定部材２１０が、第１突出部２１１のみを有し、第１水収容部２１３を有しない構造も可能であり、第２固定部材２２０が、第２突出部２２１のみを有し、第２水収容部２２３を有しない構造も可能である。
【００７５】
一方、図面では、第１プレート部材３２に固定部材１００が形成された後、第２プレート部材３３にねじ結合されるとしたが、固定部材１００が第２プレート部材３３に形成された後、第１プレート部材３２にねじ結合されることもできる。
【００７６】
また、ディスク部材３１、第１プレート部材３２及び第２プレート部材３３の間にはスペーサが設けられて、これらの部材間の間隔を調節することもできる。
【００７７】
上記のディスクアセンブリー３０は、ディスクアセンブリー３０に回転力を発生させる駆動ユニット７０に結合される。駆動ユニット７０は、駆動モーター及び駆動ギアを含むことができ、駆動ギアは第１プレート部材３２のギア部３２ｃに連結される。
【００７８】
駆動ユニット７０の駆動ギアが第１プレート部材３２のギア部３２ｃに噛み合うことで、駆動ユニット７０の駆動力がディスクアセンブリー３０に伝達される。
【００７９】
この駆動ギアは、ディスクアセンブリー３０の回転中心Ａよりも下方に配置することができる。これは、ディスクアセンブリー３０を空気清浄加湿器１内で着脱する場合に駆動ユニット７０との干渉を防止するためである。
【００８０】
また、水槽２０の内部には、ディスクアセンブリー３０を支持する支持部材８０を設けることができる。支持部材８０は、水槽２０の内部両側に着脱可能に配置することができる。これらの支持部材８０は回転可能に設けられて、ディスクアセンブリー３０を支持すると同時にディスクアセンブリー３０が駆動ギアによってより安定的に回転できるようにガイドする役割を果たす。
【００８１】
次に、図２、図４、図６乃至図８を参照して、本発明の実施例による空気清浄加湿器及びそのディスクアセンブリーの作用について説明する。
【００８２】
まず、空気清浄加湿器１では、水タンク５０中の水が水槽２０に給水される。水タンク５０から給水される水は、給水部２２を経て貯水部２１内に貯水される。この時、貯水部２１中の貯水量は、一定の水位２１ａとなるように調節することができる。そして、ディスクアセンブリー３０は、リング状の一部が水槽２１中の水位２１ａよりも下方に位置しており、その一部は水に浸かることとなる。
【００８３】
ユーザが操作部１２ａを介して空気清浄及び加湿モードを選択すると、送風ファン４２及びディスクアセンブリー３０が同時に駆動され、浄化された空気が、回転するディスクアセンブリー３０を通過して空気排出口１４ｃから排出される。
【００８４】
このような空気清浄及び加湿モードの過程について具体的に説明すると、次の通りである。駆動ユニット７０で発生した駆動力が駆動ギアからディスクアセンブリー３０に伝達されることで、ディスクアセンブリー３０が回転する。
【００８５】
また、送風ファン４２が、リング状に構成された第１プレート部材の開口部３０ａの内側に挿入されているので、ディスクアセンブリー３０は、送風ファン４２の外周に沿って回転移動する。送風ファン４２の回転によって空気清浄加湿器１内では気流が発生する。このような気流により、空気清浄加湿器１の背面に形成された空気吸入口１３ａから空気が吸い込まれ、フィルター６０を通過して送風ファン４２に吸入された後、ディスクアセンブリー３０を通過して外部に排出される。
【００８６】
すなわち、送風ファン４２及びディスク部材３３は重なって配置されており、送風ファン４２から排出される気流は、ディスクアセンブリー３０に送風される。このように送風される空気がディスク部材３３を通過する過程で、ディスク部材３３に含まれた水が気化する。このような加湿空気は、空気排出口１４ｃを通過して本体１０から外部に排出される。
【００８７】
この時、ディスクアセンブリー３０が回転すると、水槽２０中の水が、第１固定部材２１０の第１水収容部２１３によって汲み上げられる。そして、第１水収容部２１３が一定高さに位置すると、貯水空間２１３ａに貯留されている水が出入口２１３ｂを通じてディスク部材３１に排出され、これにより、ディスク部材３１はより多くの水を含むこととなる。
【００８８】
したがって、ディスクアセンブリー３０の回転による空気の加湿作用時に、ディスク部材３１は、より向上した含水性能を有するようになり、より効率的な空気の加湿作用が可能になる。
【００８９】
上記の通り、本実施例による空気清浄加湿器１及びそのディスクアセンブリー３０は、ディスク部材３１の組み立て部１００に挿入されてディスクアセンブリー１１０の組み立て形状を保持させる固定部材２００に、水を収容する水収容部を設け、水がディスク部材３１に排出されるようにすることによって、空気の加湿作用がより効率的に行われるようにすることを基本的な技術的思想としていることがわかる。したがって、本発明の基本的な技術的思想の範ちゅう内で、当該技術分野における通常の知識を有する者にとっては様々な変形実施が可能であるということは明らかである。
【符号の説明】
【００９０】
１        空気清浄加湿器
１０      本体
２０      水槽
３０      ディスクアセンブリー
３１      ディスク部材
３２      第１プレート
３３      第２プレート
４０      送風装置
４１      送風ファン
５０      水タンク
１００    組み立て部
１１０    凹溝部
１２０    穴部
２００    固定部材
２１０    第１固定部材
２２０    第２固定部材
【図１】
0005892723.tif 000002
【図２】
0005892723.tif 000003
【図３】
0005892723.tif 000004
【図４】
0005892723.tif 000005
【図５】
0005892723.tif 000006
【図６】
0005892723.tif 000007
【図７】
0005892723.tif 000008
【図８】
0005892723.tif 000009
【図９】
0005892723.tif 000010
【図１０】
0005892723.tif 000011